(57)【特許請求の範囲】
【請求項１】
主枠体と、前記主枠体に対して摺動自在に設けられた補助枠体と、前記補助枠体の前面側を塞ぐ前面カバーとを有し、主枠体に対して補助枠体が縮小された第１の態様と引き出された第２の態様とを有し、本体に着脱自在に支持された収容容器と、
前記収容容器が前記本体に装着された状態で前記収容容器の上面を覆う覆い部材と、
前記本体に装着された前記収容容器を施錠された状態で前記本体からの離脱を阻止し、開錠された状態で前記本体からの離脱を可能とし、前記第１の態様と前記第２の態様のいずれの場合にも施錠が可能である施錠手段と、を備え、
前記施錠手段は、前記第２の態様の収納容器が前記本体に装着される場合に、一端にロック孔を有し他端で前記本体に設けられた前記係合孔に係合する中継部材を介して前記収容容器を前記本体に離脱不能に施錠する、
ことを特徴とする給紙装置。
【請求項２】
前記第１の態様と前記第２の態様のいずれの態様の前記収容容器であっても、前記本体へ装着した状態で、前記収容容器に対して前記覆い部材が固定される、
ことを特徴とする請求項１に記載の給紙装置。
【請求項３】
前記覆い部材が、前記主枠体と前記本体に設けられ前記収容容器の着脱を案内する案内面とに挟み込まれた状態で配置されている、
ことを特徴とする請求項１に記載の給紙装置。
【請求項４】
前記前面カバーの裏面側に突出して形成された係合突起が、前記本体の一面側に形成された係合穴に嵌まり込んで前記収容容器が前記本体に位置決めされる、
ことを特徴とする請求項１ないし３のいずれか１項に記載の給紙装置。
【請求項５】
前記施錠手段は、前記本体の一面側に取付けられたブラケットと、前記ブラケットに形成された係合孔と、前記収容容器の前記前面カバーに形成された孔を通して前記係合孔へ挿入されるロッドに形成され前記係合孔へ係合されるフックを有する錠前と、で構成されている、
ことを特徴とする請求項１ないし４のいずれか１項に記載の給紙装置。
【請求項６】
前記中継部材は、筐体と、一面に前記ロック孔が形成された板部材と、先端側にフック形状を有するフック部材と、一端側に前記板部材を保持し他端側に前記フック部材が固定され前記筐体の内面側で回転可能且つ移動可能に支持された保持体と、前記筐体に対して前記収容容器が離脱する方向へ前記保持体を付勢する付勢部材と、から構成されている、
ことを特徴とする請求項１に記載の給紙装置。
【請求項７】
前記中継部材は、前記保持体を回転させることで前記フック部材が前記本体に設けられた前記係合孔に係合し、前記保持体が前記前面カバーの裏側に形成されたリブで囲まれた状態で回転不能に保持される、
ことを特徴とする請求項６に記載の給紙装置。
【請求項８】
記録材へ画像形成を行う画像形成手段と、
前記記録材を収容して前記画像形成手段に前記記録材を供給する請求項１ないし７のいずれか１項に記載の給紙装置と、を備えた、
ことを特徴とする画像形成装置。
【発明の詳細な説明】
【技術分野】
【０００１】
本発明は、給紙装置及び画像形成装置に関する。
【背景技術】
【０００２】
画像形成装置本体側によって回動自在に支持され且つ前面に鍵挿入面を備えたシリンダ本体と、鍵手段の回動に応じて回動する前記シリンダ本体に設けた突起と、給紙トレイ側に設けられ且つ給紙トレイが閉止状態にあるときにのみ施錠方向へ回動した突起の嵌合を許容することにより給紙トレイの引き出しを禁止する凹部と、シリンダ本体の鍵挿入面に対応する給紙トレイの前面カバー部分に設けた鍵挿入穴と、を備えた画像形成装置が知られている（特許文献１）。
【先行技術文献】
【特許文献】
【０００３】
【特許文献１】特開２００７−１３７６８３号公報
【発明の概要】
【発明が解決しようとする課題】
【０００４】
本発明は、主枠体に対して摺動自在に設けられた補助枠体を有する収容容器に収容された記録媒体の盗難を防止することができる給紙装置及び画像形成装置を提供することを目的とする。
【課題を解決するための手段】
【０００５】
前記課題を解決するために、請求項１に記載の給紙装置は、
主枠体と、前記主枠体に対して摺動自在に設けられた補助枠体と、前記補助枠体の前面側を塞ぐ前面カバーとを有し、主枠体に対して補助枠体が縮小された第１の態様と引き出された第２の態様とを有し、本体に着脱自在に支持された収容容器と、
前記収容容器が前記本体に装着された状態で前記収容容器の上面を覆う覆い部材と、
前記本体に装着された前記収容容器を施錠された状態で前記本体からの離脱を阻止し、開錠された状態で前記本体からの離脱を可能とし、前記第１の態様と前記第２の態様のいずれの場合にも施錠が可能である施錠手段と、を備え、
前記施錠手段は、前記第２の態様の収納容器が前記本体に装着される場合に、一端にロック孔を有し他端で前記本体に設けられた前記係合孔に係合する中継部材を介して前記収容容器を前記本体に離脱不能に施錠する、
ことを特徴とする。
【０００８】
請求項２記載の発明は、請求項１に記載の給紙装置において、
前記第１の態様と前記第２の態様のいずれの態様の前記収容容器であっても、前記本体へ装着した状態で、前記収容容器に対して前記覆い部材が固定される、
ことを特徴とする。
【０００９】
請求項３記載の発明は、請求項１に記載の給紙装置において、
前記覆い部材が、前記主枠体と前記本体に設けられ前記収容容器の着脱を案内する案内面とに挟み込まれた状態で配置されている、
ことを特徴とする。
【００１０】
請求項４記載の発明は、請求項１ないし３のいずれか１項に記載の給紙装置において、
前記前面カバーの裏面側に突出して形成された係合突起が、前記本体の一面側に形成された係合穴に嵌まり込んで前記収容容器が前記本体に位置決めされる、
ことを特徴とする。
【００１１】
請求項５記載の発明は、請求項１ないし４のいずれか１項に記載の給紙装置において、
前記施錠手段は、前記本体の一面側に取付けられたブラケットと、前記ブラケットに形成された係合孔と、前記収容容器の前記前面カバーに形成された孔を通して前記係合孔へ挿入されるロッドに形成され前記係合孔へ係合されるフックを有する錠前と、で構成されている、
ことを特徴とする。
【００１３】
請求項６記載の発明は、請求項１に記載の給紙装置において、
前記中継部材は、筐体と、一面に前記ロック孔が形成された板部材と、先端側にフック形状を有するフック部材と、一端側に前記板部材を保持し他端側に前記フック部材が固定され前記筐体の内面側で回転可能且つ移動可能に支持された保持体と、前記筐体に対して前記収容容器が離脱する方向へ前記保持体を付勢する付勢部材と、から構成されている、
ことを特徴とする。
【００１４】
請求項７記載の発明は、請求項６に記載の給紙装置において、
前記中継部材は、前記保持体を回転させることで前記フック部材が前記本体に設けられた前記係合孔に係合し、前記保持体が前記前面カバーの裏側に形成されたリブで囲まれた状態で回転不能に保持される、
ことを特徴とする。
【００１５】
前記課題を解決するために、請求項８に記載の画像形成装置は、
記録材へ画像形成を行う画像形成手段と、
前記記録材を収容して前記画像形成手段に前記記録材を供給する請求項１ないし７のいずれか１項に記載の給紙装置と、を備えた、
ことを特徴とする。
【発明の効果】
【００１６】
請求項１及び８に記載の発明によれば、収容容器に収容された記録媒体の盗難を防止することができる。
請求項２に記載の発明によれば、収容容器が第１の態様と第２の態様をとる場合において、いずれの場合でも覆い部材が固定されていない場合よりも給紙装置に装着された収容容器の内容物へのアクセスが制限される。
請求項３に記載の発明によれば、収容容器が給紙装置本体に離脱不能に施錠されている状態では収容容器に収容された記録媒体のアクセスを制限することができる。
請求項４に記載の発明によれば、収容容器の孔と装置本体のロック孔を確実に位置合わせすることができる。
請求項５に記載の発明によれば、収容容器に収容された記録媒体の盗難を防止することができる。
請求項６に記載の発明によれば、収容容器の孔と中継部材に設けられたロック孔とを確実に位置合わせすることができる。
請求項７に記載の発明によれば、給紙装置本体外から中継部材の保持部へのアクセスを制限することができる。
【図面の簡単な説明】
【００１７】
【図１】画像形成装置１の内部構成を示す断面模式図である。
【図２】（ａ）はトレイ２１０の補助枠体２１２を縮小して装着した画像形成装置１を示す斜視図、（ｂ）はトレイ２１０の補助枠体２１２を引き出して装着した画像形成装置１を示す斜視図である。
【図３】（ａ）は補助枠体２１２を縮小した状態のトレイ２１０の斜視図、（ｂ）は補助枠体２１２を引き出した状態のトレイ２１０の斜視図である。
【図４】（ａ）は補助枠体２１２を縮小して覆い部材２１５Ａを取り付けた状態のトレイ２１０の斜視図、（ｂ）は補助枠体２１２を引き出して覆い部材２１５Ｂを取り付けた状態のトレイ２１０の斜視図である。
【図５】（ａ）は覆い部材２１５Ａを有するトレイ２１０が装着された画像形成装置１の内部を示す斜視図、（ｂ）は覆い部材２１５Ｂを有するトレイ２１０が装着された画像形成装置１の内部を示す斜視図である。
【図６】（ａ）はトレイ２１０の前面カバー２１３を受ける給紙装置２０本体の部分斜視図、（ｂ）はトレイ２１０と給紙装置２０本体の係合を示す部分横断面図である。
【図７】第２給紙装置２０Ａを引き出した状態の画像形成装置１全体の斜視図である。
【図８】（ａ）は中継部材１２０の板部材１２２側に視点を置いた斜視図、（ｂ）はフック部材１２３側に視点を置いた斜視図である。
【図９】（ａ）は中継部材１２０の板部材１２２側に視点を置いた分解斜視図、（ｂ）はフック部材１２３側に視点を置いた分解斜視図である。
【図１０】（ａ）は板部材１２２側に視点を置いた正面図、（ｂ）はフック部材１２３側に視点を置いた背面図、（ｃ）は横断面図、（ｄ）は縦断面図である。
【図１１】中継部材１２０の給紙装置２０本体への固定を説明する斜視図である。
【図１２】（ａ）は中継部材１２０と前面カバー２１３の連結を給紙装置２０の底面側に視点を置いて示す斜視図、（ｂ）は中継部材１２０を用いたトレイ２１０のロック状態を説明する斜視図である。
【図１３】第２給紙装置２０Ａを引き出した状態の画像形成装置１全体の斜視図である。
【発明を実施するための形態】
【００１８】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
（１）画像形成装置の全体構成及び動作
図１は本実施形態に係る画像形成装置１の内部構成を示す断面模式図、図２（ａ）はトレイ２１０の補助枠体２１２を縮小して装着した画像形成装置１を示す斜視図、（ｂ）はトレイ２１０の補助枠体２１２を引き出して装着した画像形成装置１を示す斜視図である。
以下、図面を参照しながら、画像形成装置１の全体構成及び動作を説明する。
【００１９】
画像形成装置１は、制御装置１０、給紙装置２０、感光体ユニット３０、現像ユニット４０、転写装置５０、定着装置６０を備えて構成されている。画像形成装置１の上面（Ｚ方向）には、画像が記録された用紙Ｐが排出・収容される排出トレイ１ａが形成されている。
【００２０】
制御装置１０は、画像形成装置１の動作を制御する画像形成装置制御部１１と、印刷処理要求に応じた画像データを準備するコントローラ部１２、露光装置ＬＨの点灯を制御する露光制御部１３等を有する。
【００２１】
コントローラ部１２は、外部の情報送信装置（例えばパーソナルコンピュータ等）から入力された印刷情報を潜像形成用の画像情報に変換して予め設定されたタイミングで、駆動信号を露光装置ＬＨに出力する。本実施形態の露光装置ＬＨは、複数の発光素子（ＬＥＤ：Light  Emitting  Diode）が主走査方向に沿って線状に配列されたＬＥＤヘッドにより構成されている。
【００２２】
画像形成装置１の底部には、給紙装置２０が設けられている。給紙装置２０は、収容容器としてのトレイ２１０を備え、トレイ２１０内には多数の記録媒体としての用紙Ｐが収用される。トレイ２１０に積載された用紙Ｐは、上側から１枚ずつ用紙引き出し部２２により横方向（Ｘ方向）に引き出された後、レジストローラ対２３のニップ部まで搬送される。
給紙装置２０の上方には、第２給紙装置２０Ａが設けられている。第２給紙装置２０Ａは、用紙搬送路２７を介して、用紙引き出し部２５により引き出された用紙Ｐをレジストローラ対２３のニップ部まで搬送する。
【００２３】
給紙装置２０は、画像形成装置１の底部に複数段に積層されてトレイモジュールを構成している。それぞれの給紙装置２０は、トレイ２１０が主枠体２１１に対して補助枠体２１２が縮小された第１の態様（図２（ａ）参照）と、補助枠体２１２が引き出された第２の態様（図２（ｂ）参照）とに切り換え可能に構成されている。
【００２４】
感光体ユニット３０は、給紙装置２０の上方（Ｚ方向）に、それぞれが並列して設けられ、回転駆動する像保持体としての感光体ドラム３１を備えている。感光体ドラム３１の回転方向にそって、帯電ローラ３２、露光装置ＬＨ、現像ユニット４０、一次転写ローラ５２、クリーニングブレード３４が配置されている。帯電ローラ３２には、帯電ローラ３２の表面をクリーニングするクリーニングローラ３３が対向、接触して配置されている。
【００２５】
現像ユニット４０は、内部に現像剤が収容される現像ハウジング４１を有する。現像ハウジング４１内には、感光体ドラム３１に対向して配置された現像ローラ４２と、この現像ローラ４２の背面側斜め下方には現像剤を現像ローラ４２側へ撹拌搬送する一対のオーガ４４、４５が配設されている。現像ローラ４２には、現像剤の層厚を規制する層規制部材４６が近接配置されている。
現像ユニット４０各々は、現像ハウジング４１に収容される現像剤を除いて同様に構成され、それぞれがイエロー（Ｙ）、マゼンタ（Ｍ）、シアン（Ｃ）、黒（Ｋ）のトナー像を形成する。
【００２６】
回転する感光体ドラム３１の表面は、帯電ローラ３２により帯電され、露光装置ＬＨから出射する潜像形成光により静電潜像が形成される。感光体ドラム３１上に形成された静電潜像は現像ローラ４２によりトナー像として現像される。
【００２７】
転写装置５０は、各感光体ユニット３０の感光体ドラム３１にて形成された各色トナー像が多重転写される中間転写ベルト５１、各感光体ユニット３０にて形成された各色トナー像を中間転写ベルト５１に順次転写（一次転写）する一次転写ローラ５２、中間転写ベルト５１上に重畳して転写された各色トナー像を用紙Ｐに一括転写（二次転写）する二次転写ローラ５３から構成されている。
【００２８】
各感光体ユニット３０の感光体ドラム３１に形成された各色トナー像は、所定の転写電圧が印加された被給電体の一例としての一次転写ローラ５２により中間転写ベルト５１上に順次静電転写（一次転写）され、各色トナーが重畳された重畳トナー像が形成される。
【００２９】
中間転写ベルト５１上の重畳トナー像は、中間転写ベルト５１の移動に伴って二次転写ローラ５３が配置された領域（二次転写部Ｔ）に搬送される。重畳トナー像が二次転写部Ｔに搬送されると、そのタイミングに合わせて給紙装置２０から用紙Ｐが二次転写部Ｔに供給される。そして、二次転写ローラ５３には、所定の転写電圧が印加され、レジストローラ対２３から送り出され、搬送ガイドにより案内された用紙Ｐに中間転写ベルト５１上の多重トナー像が一括転写される。
【００３０】
感光体ドラム３１表面の残留トナーは、クリーニングブレード３４により除去され、廃現像剤収容部に回収される。感光体ドラム３１の表面は、帯電ローラ３２により再帯電される。尚、クリーニングブレード３４で除去しきれず帯電ローラ３２に付着した残留物は、帯電ローラ３２に接触して回転するクリーニングローラ３３表面に捕捉され、蓄積される。
【００３１】
定着装置６０は、加熱モジュール６１と加圧モジュール６２を有し、加熱モジュール６１と加圧モジュール６２の圧接領域によって定着ニップ部Ｎ（定着領域）が形成される。
【００３２】
転写装置５０においてトナー像が転写された用紙Ｐは、トナー像が未定着の状態で搬送ガイドを経由して定着装置６０に搬送される。定着装置６０に搬送された用紙Ｐは、一対の加熱モジュール６１と加圧モジュール６２により、圧着と加熱の作用でトナー像が定着される。
定着トナー像が形成された用紙Ｐは、搬送ローラ対６８を介して排出ローラ対６９から画像形成装置１上面の排出トレイ１ａに排出される。
【００３３】
（２）収容容器と着脱機構の構成
図３（ａ）は補助枠体２１２を縮小した状態のトレイ２１０の斜視図、（ｂ）は補助枠体２１２を引き出した状態のトレイ２１０の斜視図、図４（ａ）は補助枠体２１２を縮小して覆い部材２１５Ａを取り付けた状態のトレイ２１０の斜視図、（ｂ）は補助枠体２１２を引き出して覆い部材２１５Ｂを取り付けた状態のトレイ２１０の斜視図、図５（ａ）は覆い部材２１５Ａを有するトレイ２１０が装着された画像形成装置１の内部を示す斜視図、（ｂ）は覆い部材２１５Ｂを有するトレイ２１０が装着された画像形成装置１の内部を示す斜視図である。
以下、図面を参照しながら収容容器の構成について説明する。
【００３４】
図３に示すように、収容容器としてのトレイ２１０は、主枠体２１１と、補助枠体２１２と、前面カバー２１３と、用紙積載板２１４と、覆い部材２１５と、リタードローラ２２Ｃとを備えて構成されている。
主枠体２１１は、用紙Ｐが収容可能な箱状とされ、トレイ２１０の給紙装置２０本体への挿入方向奥側に用紙引き出し部２２を構成しているリタードローラ２２Ｃを支持している。リタードローラ２２Ｃはピックアップローラ２２Ａから送り出された用紙Ｐをフィードローラ２２Ｂと当接して１枚ずつ分離する。
【００３５】
補助枠体２１２は、補助枠体２１２の側面部分が主枠体２１１の側面部分に摺動可能に挿入されている（図３（ｂ）矢印Ｒ参照）。補助枠体２１２は、前面部分に前面カバー２１３が設けられ、前面カバー２１３の表面側には後述の錠前１１０のフック部１１３を通す長穴形状の孔２１３ａが貫通形成されている。また、前面カバー２１３の裏面側にはガイドピン２１３ｂが突出して形成され、後述の給紙装置２０本体に形成された位置決め穴１０２に嵌まり込んでトレイ２１０が装置本体に位置決めされる。
【００３６】
トレイ２１０は、主枠体２１１に対して補助枠体２１２が縮小された第１の態様と、補助枠体２１２が引き出された第２の態様とをとることが可能に構成されている。第１の態様は、一例として、Ａ４サイズ（２１０ｍｍ×２９７ｍｍ）、レターサイズ（８．５インチ×１１インチ）等の用紙Ｐを収容し、第２の態様は、一例として、リーガルサイズ（８．５インチ×１４インチ）を収容することができる。
【００３７】
用紙積載板２１４は、主枠体２１１の底部に揺動自在に設けられ、収用された用紙Ｐの残量に応じて上下動し、用紙積載板２１４の最上部の用紙Ｐの送り出し位置をピックアップローラ２２Ａに対して一定に保持している。
【００３８】
覆い部材２１５は、図４（ａ）、（ｂ）に示すように、全体が矩形の板部材であり、補助枠体２１２が縮小されたトレイ２１０の上側開口部を覆う第１の覆い部材２１５Ａと、補助枠体２１２が引き出されたトレイ２１０の上側開口部を覆う第２の覆い部材２１５Ｂとからなり、それぞれトレイ２１０の態様に応じて使用される。
その結果、図２（ａ）、（ｂ）に示すように、第１の態様のトレイ２１０は、画像形成装置１の前面から前面カバー２１３が突出することなく収容され、第２の態様のトレイ２１０は、画像形成装置１の前面から前面カバー２１３が突出して収容される。
【００３９】
覆い部材２１５は、図４（ａ）、（ｂ）に示すように、主枠体２１１の上側開口部を塞ぐように主枠体２１１の側壁の上面２１１ａに嵌め込まれている。覆い部材２１５が嵌め込まれたトレイ２１０は、給紙装置２０本体の案内面２０１に案内されて給紙装置２０本体に装着された状態では、覆い部材２１５が主枠体２１１の側壁の上面２１１ａと案内面２０１で挟み込まれて固定され、収容された用紙Ｐへのアクセスが阻止される。
【００４０】
（３）収容容器のロック機構
図６（ａ）はトレイ２１０の前面カバー２１３を受ける給紙装置２０本体の部分斜視図、（ｂ）はトレイ２１０と給紙装置２０本体の係合を示す部分横断面図、図７は第２給紙装置２０Ａを引き出した状態の画像形成装置１全体の斜視図、図８（ａ）は中継部材１２０の板部材１２２側に視点を置いた斜視図、（ｂ）はフック部材１２３側に視点を置いた斜視図、図９（ａ）は中継部材１２０の板部材１２２側に視点を置いた分解斜視図、（ｂ）はフック部材１２３側に視点を置いた分解斜視図、図１０（ａ）は板部材１２２側に視点を置いた正面図、（ｂ）はフック部材１２３側に視点を置いた背面図、（ｃ）は横断面図、（ｄ）は縦断面図、図１１は中継部材１２０の給紙装置２０本体への固定を説明する斜視図、図１２（ａ）は中継部材１２０と前面カバー２１３の連結を給紙装置２０の底面側に視点を置いて示す斜視図、（ｂ）は中継部材１２０を用いたトレイ２１０のロック状態を説明する斜視図、図１３は第２給紙装置２０Ａを引き出した状態の画像形成装置１全体の斜視図である。
以下、図面を参照しながら収容容器の着脱機構について説明する。
【００４１】
（３．１）給紙装置２０本体
図６（ａ）に示すように、給紙装置２０本体の前面側でトレイ２１０の挿抜開口部１ｂの側方には、施錠手段としてのロック機構１００を構成するブラケット１０１が取り付けられている。ブラケット１０１は金属製の板部材であり、給紙装置２０本体にスナップフィット固定されている。ブラケット１０１の一面には、長孔形状の係合孔１０１ａが形成され、後述の錠前１１０のロッド１１２に形成されたフック部１１３が前面カバー２１３の孔２１３ａを通して挿入される。
【００４２】
図６（ａ）、（ｂ）に示すように、ブラケット１０１の側方には、位置決め穴１０２が形成されている。トレイ２１０が給紙装置２０本体に装着される際に、前面カバー２１３の裏面側に形成されたガイドピン２１３ｂが位置決め穴１０２に嵌まり込んでトレイ２１０が給紙装置本体に位置決めされる。
その結果、位置決め穴１０２の側方近傍で、前面カバー２１３の孔２１３ａと給紙装置２０本体の係合孔１０１ａが互いに重なり合って貫通するように位置決めされる。
【００４３】
トレイ２１０の前面カバー２１３の孔２１３ａを通して挿入される錠前１１０は、円筒状のヘッド部１１１を有して、ヘッド部１１１の一方の端面から突出したロッド１１２の先端にはフック部１１３が一体に形成されている。
ヘッド部１１１の他方の端面には、鍵穴１１４が形成され、鍵穴１１４には鍵１１５が挿入されて、鍵１１５の回転操作でロッド１１２が回転する。
【００４４】
このような構成により、第１の態様のトレイ２１０の前面カバー２１３に形成された孔２１３ａ及び給紙装置２０本体のブラケット１０１に形成された係合孔１０１ａに、錠前１１０のロッド１１２を挿通させ、鍵穴１１４に挿入した鍵１１５を回転させて、ロッド１１２を回転させると、フック部１１３がブラケット１０１の内壁に係合して、ロッド１１２が係合孔１０１ａから抜け出さない状態となる。
その結果、トレイ２１０を給紙装置２０本体から離脱させる方向の移動が阻止されて、トレイ２１０はブラケット１０１に固定されて給紙装置２０本体から引き出せなくなる。
【００４５】
トレイ２１０が給紙装置２０本体から引き出せない状態では、図７に示すように、第２給紙装置２０Ａを画像形成装置１から引き出した場合であっても、トレイ２１０の上側開口部を塞ぐよう覆い部材２１５が主枠体２１１の側壁の上面２１１ａと案内面２０１で挟み込まれて固定されているために収容された用紙Ｐへのアクセスが阻止される。その結果、収容された用紙Ｐの盗難を防止することができる。
【００４６】
（３．２）中継部材
中継部材１２０は、筐体１２１と、板部材１２２と、フック部材１２３と、保持体１２４と、付勢部材としてのスプリング１２５と、から構成され、トレイ２１０が補助枠体２１２が引き出された第２の態様で使用される場合に、給紙装置２０本体のブラケット１０１に装着されて前面カバー２１３に当接する。
【００４７】
筐体１２１は、全体が箱形状の本体部１２１ａの一端側に円筒部１２１ｂが中空状に形成されている。円筒部１２１ｂは、後述の保持体１２４を回転支持するとともに、内部にスプリング１２５を収容して保持体１２４を移動可能に支持する。
本体部１２１ａは、後述のフック部材１２３を移動可能に支持し、他端側は、保持体１２４と一体に移動したフック部材１２３の先端側に形成されたフック部１２３ａが突出するように開口している（図８（ｂ）参照）。
【００４８】
板部材１２２は金属製であり、保持体１２４に形成された突起部にスナップフィット固定されている。板部材１２２の一面には、長孔形状のロック孔１２２ａが形成され、後述の錠前１１０のロッド１１２に形成されたフック部１１３が前面カバー２１３の孔２１３ａを通して挿入される。
【００４９】
フック部材１２３は全体が金属製の板部材であり、先端部にはフック形状を有するフック部１２３ａが形成されている。フック部材１２３は保持体１２４に固定され、筐体１２１に保持体と一体で移動可能に支持されている。
【００５０】
保持体１２４は、フック部材１２３を内部に固定した円筒状の本体部１２４ａと、ロック孔１２２ａが形成された板部材１２２が固定される保持部１２４ｂと、からなり、筐体１２１の内面側で回転可能且つ移動可能に支持される。
【００５１】
保持体１２４は、筐体１２１内でスプリング１２５で板部材１２２が固定された保持部１２４ｂが筐体１２１の円筒部１２１ｂから突出する方向に付勢されている。
その結果、図１１に示すように、保持部１２４ｂを把持して押し込みながら（図１１（ａ）矢印Ｒ１参照）フック部材１２３のフック部１２３ａを給紙装置２０本体のブラケット１０１の係合孔１０１ａに挿入して回転させる（図１１（ｂ）矢印Ｒ２参照）と、中継部材１２０は、スプリング１２５の付勢力でフック部材１２３のフック部１２３ａが給紙装置２０本体のブラケットに密着するように係合される。
【００５２】
図１０（ｂ）に示すように、筐体１２１の本体部１２１ａには径方向に内側に向って突出する受け部１２１ｃが２箇所形成され、錠前１１０のロッド１１２が回転した場合に、回転したフック部材１２３の板面１２３ｂが当接して所定の位置で停止する回転止めを構成している。本実施形態においては、ロッド１１２が１／４周回転した状態でフック部材１２３の板面１２３ｂが当接して停止する。
【００５３】
このような構成により、補助枠体２１２が引き出された第２の態様のトレイ２１０が給紙装置２０本体に装着される場合には、まず給紙装置２０本体に中継部材１２０を固定する（図１１（ｃ）参照）。
次に、トレイ２１０を給紙装置２０本体に挿入すると、前面カバー２１３の裏面側に形成された複数のリブ２１３ｃが中継部材１２０の保持部１２４ｂの周囲を囲み（図１２（ａ）参照）給紙装置２０本体外から保持部１２４ｂへのアクセスが不能な状態で、前面カバー２１３の孔２１３ａと板部材１２２のロック孔１２２ａが重なり合う。
【００５４】
そして、図１２（ｂ）に示すように、前面カバー２１３の孔２１３ａ及び板部材１２２のロック孔１２２ａに、錠前１１０のロッド１１２を挿通させ、鍵穴１１４に挿入した鍵１１５を回転させて、ロッド１１２を回転させると、フック部１１３が板部材１２２の内壁に係合して、ロッド１１２がロック孔１２２ａから抜け出さない状態となる。
その結果、トレイ２１０を装置本体から離脱させる方向の移動が阻止されて、トレイ２１０は板部材１２２に固定されて給紙装置２０本体から引き出せなくなる。
【００５５】
トレイ２１０が給紙装置２０本体から引き出せない状態では、図１３に示すように、第２給紙装置２０Ａを画像形成装置１から引き出した場合であっても、トレイ２１０の上側開口部を塞ぐよう覆い部材２１５が主枠体２１１の側壁の上面２１１ａと案内面２０１で挟み込まれて固定されているために収容された用紙Ｐへのアクセスが阻止される。その結果、収容された用紙Ｐの盗難を防止することができる。
【符号の説明】
【００５６】
１・・・画像形成装置
１０・・・制御装置
２０・・・給紙装置
３０・・・感光体ユニット
４０・・・現像ユニット
５０・・・転写装置
６０・・・定着装置
１００・・・ロック機構
１０１・・・ブラケット
１０１ａ・・・係合孔
１０２・・・位置決め穴
１１０・・・錠前
１１１・・・ヘッド部
１１２・・・ロッド
１１３・・・フック部
１２０・・・中継部材
１２１・・・筐体
１２２・・・板部材
１２２ａ・・・ロック孔
１２３・・・フック部材
１２４・・・保持体
１２５・・・スプリング
２１０・・・トレイ
２１１・・・主枠体
２１２・・・補助枠体
２１３・・・前面カバー
２１３ａ・・・孔
２１３ｂ・・・ガイドピン
２１３ｃ・・・リブ
２１４・・・用紙積載板
２１５、２１５Ａ、２１５Ｂ・・・覆い部材
【図１】
0006720490.tif 000002
【図２】
0006720490.tif 000003
【図３】
0006720490.tif 000004
【図４】
0006720490.tif 000005
【図５】
0006720490.tif 000006
【図６】
0006720490.tif 000007
【図７】
0006720490.tif 000008
【図８】
0006720490.tif 000009
【図９】
0006720490.tif 000010
【図１０】
0006720490.tif 000011
【図１１】
0006720490.tif 000012
【図１２】
0006720490.tif 000013
【図１３】
0006720490.tif 000014